(57)【要約】【課題】マクロ操作で遠隔操作するソース機器を簡便な操作で変更することができるリモコン装置を提供すること。【解決手段】ソース機器を含む所定の複数の被遠隔操作機器をマクロ操作するための１又は複数の第１の入力手段と、ソース機器を選択するための複数の第２の入力手段と、被遠隔操作機器を遠隔操作するための複数のリモコンコードを記憶する記憶手段と、リモコンコードを外部に送信する送信手段と、第１の入力手段が操作された場合、複数の被遠隔操作機器を遠隔操作するためのリモコンコードを送信手段に出力し、送信手段に外部へ送信させる制御手段とを備え；第１の入力手段及び第２の入力手段が所定操作された場合、第１の入力手段によって遠隔操作されるソース機器が、操作された第２の入力手段によって選択されるソース機器に変更される。【選択図】図６
2010219832.tif 000002
【特許請求の範囲】
【請求項１】
ソース機器を含む所定の複数の被遠隔操作機器をマクロ操作するための１又は複数の第１の入力手段と、
該ソース機器を選択するための複数の第２の入力手段と、
該被遠隔操作機器を遠隔操作するための複数のリモコンコードを記憶する記憶手段と、
該リモコンコードを外部に送信する送信手段と、
該第１の入力手段が操作された場合、該複数の被遠隔操作機器を遠隔操作するための該リモコンコードを該送信手段に出力し、該送信手段に外部へ送信させる制御手段とを備え；
該第１の入力手段及び該第２の入力手段が所定操作された場合、該第１の入力手段によって遠隔操作される該ソース機器が、操作された該第２の入力手段によって選択されるソース機器に変更される、リモコン装置。
【請求項２】
前記記憶手段が、
前記第１の入力手段に対応付けられ、前記被遠隔操作機器を遠隔操作するための操作キーのキーコードを所定順に複数含むマクロ操作処理シーケンスをさらに記憶し；
前記制御手段が、
前記第１の入力手段が操作された場合、操作された該第１の入力手段に対応付けられる該マクロ操作処理シーケンスに含まれる該キーコードに対応する操作キーが操作されたときと同じ又は所定の遠隔操作処理を実行し、
該第１の入力手段及び前記第２の入力手段が所定操作された場合、該マクロ操作処理シーケンスにおける、前記ソース機器を遠隔操作するためのキーコードが、操作された該第２の入力手段によって選択されるソース機器を遠隔操作するためのキーコードに変更される、請求項１に記載のリモコン装置。
【請求項３】
前記第１の入力手段によるマクロ操作で電源がオンされる前記被遠隔操作機器の電源をオフするための第３の入力手段をさらに備え；
前記制御手段が、
該第３の入力手段が操作された場合、該第１の入力手段によるマクロ操作で電源がオンされる該被遠隔操作機器の電源をオフするための該リモコンコードを該送信手段に出力し、該送信手段に外部へ送信させ；
該第１の入力手段又は該第３の入力手段と該第２の入力手段とが所定操作された場合、該第３の入力手段によって電源がオフされるソース機器が、操作された該第２の入力手段によって選択されるソース機器に変更される、請求項１又は２に記載のリモコン装置。
【請求項４】
前記被遠隔操作機器としてＡＶアンプを含み、音声信号又は映像信号を入力するソース機器を切り替える入力セレクタを該ＡＶアンプが有するＡＶシステムにおけるリモコン装置であって、
前記第２の入力手段が、該ＡＶアンプの入力セレクタを切り替えるための操作キーであり、
該第２の入力手段によって選択されるソース機器が、該操作キーに対応付けられるソース機器である、請求項１〜３のいずれかに記載のリモコン装置。
【発明の詳細な説明】
【技術分野】
【０００１】
本発明はリモコン装置に関し、さらに詳しくは、１つのキー操作で１又は複数の被遠隔操作機器に対して複数の遠隔操作を行うマクロ操作可能なリモコン装置に関するものである。
【背景技術】
【０００２】
ＡＶレシーバ、ＤＶＤプレーヤー、ＣＤプレーヤー、ディスプレイ等から構成されるＡＶシステムにおいて、リモコン装置によってシステムを構成するこれらの被遠隔操作機器を遠隔操作することができる。このようなリモコン装置のうち、マクロ操作機能を有するものが存在する。マクロ操作機能とは、リモコン装置において、１回（場合によっては２回等、僅かな回数）のキー操作により、被遠隔操作機器に対して所定の遠隔操作を行うことができる機能であり、ユーザが自分の好みの遠隔操作処理をリモコン装置に登録できるようになっている。このマクロ操作機能によって、例えば、（ａ）複数の被遠隔操作機器の電源を一斉にオンするオールオン操作、（ｂ）複数の被遠隔操作機器の電源を一斉にオフにするオールオフ操作、（ｃ)特定のソース、例えばＤＶＤ（Ｄｉｇｉｔａｌ  Ｖｅｒｓａｔｉｌｅ  Ｄｉｓｃ）を視聴するために、ＡＶレシーバ、ＤＶＤプレーヤー及びディスプレイの電源をオンし、ＡＶレシーバの入力セレクタをＤＶＤプレーヤーに切替えるとともに、ＤＶＤプレーヤーに再生動作させる等のマクロ操作を行うことができる。
【０００３】
上記（ｃ）のようなマクロ操作を行うためには、ユーザはリモコン装置のマクロ操作用のキーに対し、学習させたい一連の遠隔操作をマクロ操作として予め登録する必要がある。このとき、ユーザは学習させたいマクロ操作と同じ一連のキー操作を手作業で行わなければならないので、ユーザにとってマクロ操作の登録が非常に手間である。この問題を解決するため、製造時に、一般的によく使用されるマクロ操作が予め登録されているリモコン装置があるが、ユーザのＡＶシステムの使用環境は様々であり、予め登録されているマクロ操作がユーザにとって適したものでない場合、たとえ一部の遠隔操作を変更したいだけであっても、結局ユーザが学習させたいマクロ操作と同じ全てのキー操作を手作業で行わなければならいという問題がある。
【先行技術文献】
【特許文献】
【０００４】
【特許文献１】特開平５−１２２７７９号
【特許文献１】特開２００１−２４２９９５号
【発明の概要】
【発明が解決しようとする課題】
【０００５】
本発明は上記従来の課題を解決するためになされたものであり、その目的とするところは、マクロ操作で遠隔操作するソース機器を簡便な操作で変更することができるリモコン装置を提供することである。
【課題を解決するための手段】
【０００６】
本発明の好ましい実施形態によるリモコン装置は、ソース機器を含む所定の複数の被遠隔操作機器をマクロ操作するための１又は複数の第１の入力手段と、該ソース機器を選択するための複数の第２の入力手段と、該被遠隔操作機器を遠隔操作するための複数のリモコンコードを記憶する記憶手段と、該リモコンコードを外部に送信する送信手段と、該第１の入力手段が操作された場合、該複数の被遠隔操作機器を遠隔操作するための該リモコンコードを該送信手段に出力し、該送信手段に外部へ送信させる制御手段とを備え；該第１の入力手段及び該第２の入力手段が所定操作された場合、該第１の入力手段によって遠隔操作される該ソース機器が、操作された該第２の入力手段によって選択されるソース機器に変更される。
【０００７】
ソース機器を含む複数の被遠隔操作機器をマクロ操作するための第１の入力手段とソース機器を選択するための第２の入力手段とが所定操作された場合、第１の入力手段によって遠隔操作されるソース機器が、操作された第２の入力手段によって選択されるソース機器に変更される。これにより、ユーザがマクロ操作で遠隔操作するソース機器だけを変更したい場合、簡便な操作で遠隔操作するソース機器を変更することができる。
【０００８】
好ましい実施形態においては、上記記憶手段が、上記第１の入力手段に対応付けられ、上記被遠隔操作機器を遠隔操作するための操作キーのキーコードを所定順に複数含むマクロ操作処理シーケンスをさらに記憶し；上記制御手段が、上記第１の入力手段が操作された場合、操作された該第１の入力手段に対応付けられる該マクロ操作処理シーケンスに含まれる該キーコードに対応する操作キーが操作されたときと同じ又は所定の遠隔操作処理を実行し、該第１の入力手段及び上記第２の入力手段が所定操作された場合、該マクロ操作処理シーケンスにおける、上記ソース機器を遠隔操作するためのキーコードが、操作された該第２の入力手段によって選択されるソース機器を遠隔操作するためのキーコードに変更される。
【０００９】
第１の入力手段が操作されたとき、マクロ操作処理シーケンスに含まれるキーコード順に、そのキーコードに対応する操作キーが操作されたときと同じ又は所定の遠隔操作処理が実行される。そして、第１の入力手段及び第２の入力手段が所定操作されたとき、マクロ操作処理シーケンスにおけるソース機器を遠隔操作するためのキーコードが、操作された第２の入力手段によって選択されるソース機器を遠隔操作するためのキーコードに変更される。これにより、マクロ操作で遠隔操作するソース機器の変更は、マクロ操作処理シーケンスにおけるソース機器を遠隔操作するためのキーコードを変更するだけでよい。
【００１０】
好ましい実施形態においては、上記第１の入力手段によるマクロ操作で電源がオンされる上記被遠隔操作機器の電源をオフするための第３の入力手段をさらに備え；上記制御手段が、該第３の入力手段が操作された場合、該第１の入力手段によるマクロ操作で電源がオンされる該被遠隔操作機器の電源をオフするための該リモコンコードを該送信手段に出力し、該送信手段に外部へ送信させ；該第１の入力手段又は該第３の入力手段と該第２の入力手段とが所定操作された場合、該第３の入力手段によって電源がオフされるソース機器が、操作された該第２の入力手段によって選択されるソース機器に変更される。
【００１１】
第１の入力手段又は第３の入力手段と第２の入力手段とが所定操作された場合、該第３の入力手段によって電源がオフされるソース機器が、操作された第２の入力手段によって選択されるソース機器に変更される。これにより、オールオフマクロ操作機能をさらに有するリモコン装置において、第１の入力手段又は第３の入力手段と第２の入力手段とが所定操作された場合、マクロ操作で遠隔操作するソース機器が変更されるとともに、オールオフ操作で電源をオフするソース機器も変更される。
【００１２】
好ましい実施形態においては、上記被遠隔操作機器としてＡＶアンプを含み、音声信号又は映像信号を入力するソース機器を切り替える入力セレクタを該ＡＶアンプが有するＡＶシステムにおけるリモコン装置であって、上記第２の入力手段が、該ＡＶアンプの入力セレクタを切り替えるための操作キーであり、該第２の入力手段によって選択されるソース機器が、該操作キーに対応付けられるソース機器である。
【００１３】
変更するソース機器の選択にＡＶアンプの入力セレクタを切り替えるための操作キーを利用することで、専用の操作キーを別途備える必要がなく、ユーザはＡＶアンプの入力セレクタを切り替える操作と同じ感覚で、マクロ操作で遠隔操作するソース機器を変更することができる。
【発明の効果】
【００１４】
本発明によれば、リモコン装置は、ユーザがマクロ操作で遠隔操作するソース機器だけを変更したい場合、遠隔操作するソース機器を簡便な操作で変更することができる。
【図面の簡単な説明】
【００１５】
【図１】本発明の好ましい実施形態によるＡＶシステムを示す概略構成図である。
【図２】本発明の好ましい実施形態によるリモコン装置を示すブロック図である。
【図３】マクロ操作処理シーケンスを示す図である。
【図４】マクロ操作処理シーケンスの初期設定を示す図である。
【図５】マクロ操作処理を示すフロー図である。
【図６】マクロ操作内容変更処理を示すフロー図である。
【図７】変更後のマクロ操作処理シーケンスを示す図である。
【図８】本発明の別の好ましい実施形態によるリモコン装置を示すブロック図である。
【図９】オールオフ操作処理シーケンスを示す図である。
【図１０】オールオフ操作処理シーケンスの初期設定を示す図である。
【図１１】オールオフ操作処理を示すフロー図である。
【図１２】本発明の別の好ましい実施形態におけるマクロ操作内容変更処理を示すフロー図である。
【図１３】変更後のオールオフ操作処理シーケンスを示す図である。
【発明を実施するための形態】
【００１６】
以下、本発明の好ましい実施形態によるＡＶシステム１について、図を参照して説明するが、本発明はこれらの実施形態には限定されない。なお、図中同一又は相当部分には同一符号を付してその説明を援用する。
【００１７】
図１は、本発明の好ましい実施形態によるＡＶシステム１の構成を示すブロック図である。ＡＶシステム１は、リモコン装置１０、ＡＶレシーバ２０、ディスプレイ装置３０、ソース機器であるＤＶＤプレーヤー４０、ビデオデッキ５０及びスピーカー６０を備える。ＡＶレシーバ２０は、ディスプレイ装置３０、ＤＶＤプレーヤー４０、ビデオデッキ５０及びスピーカー６０と接続され、ＤＶＤプレーヤー４０又はビデオデッキ５０から入力される音声信号をスピーカー６０へ、映像信号をディスプレイ装置３０へ出力する。ＡＶレシーバ２０は、入力セレクタ（図示せず）を有し、入力セレクタの切り替えによりソース機器が切り替えられる。リモコン装置１０は、ＡＶレシーバ２０、ディスプレイ装置３０、ＤＶＤプレーヤー４０及びビデオデッキ５０を被遠隔操作機器とし、これらの被遠隔操作機器に対してリモコンコードを送信する遠隔操作処理を実行することで、被遠隔操作機器を遠隔操作することができる。本実施例におけるリモコン装置１０は、マクロ操作機能を有し、１つのキー操作で１又は複数の被遠隔操作機器に対して一連の遠隔操作（マクロ操作）を行うことができ、ユーザの所定の操作によってマクロ操作で遠隔操作するソース機器を変更することができる。以下、当該リモコン装置１０について図２〜図７を参照して詳細に説明する。
【００１８】
図２は、リモコン装置１０の構成を示すブロック図である。リモコン装置１０は、操作入力部１１、メモリ１２、制御部１３、送信部１４及び表示部１５を備える。メモリ１２には、被遠隔操作機器を操作するための複数のリモコンコードが記憶されている。制御部１３は、操作入力部１１により入力されたユーザの動作指示操作に基づき、リモコン装置１０の動作全体を制御したり、メモリ１２からリモコンコードを読み出して送信部１４に出力する。送信部１４は、制御部１３から入力されたリモコンコードを赤外線信号に変換して外部に送信する。表示部１５は、例えば液晶パネルからなり、操作内容等を表示する。なお、表示部１５をタッチパネルで形成することで、表示部１５と操作部１１とを統合することも可能である。また、リモコン装置１０は、遠隔操作する被遠隔操作機器に応じて複数の遠隔操作モードを有する。本実施例では、リモコン装置１０は、ＡＶレシーバ２０を遠隔操作するためのＡＶレシーバモード、ディスプレイ装置３０を遠隔操作するためのディスプレイモード、ＤＶＤプレーヤー４０を遠隔操作するためのＤＶＤモード及びビデオデッキ５０を遠隔操作するためのビデオモードの４つの遠隔操作モードを有する。
【００１９】
操作入力部１１は、操作キーとして、被遠隔操作機器の電源をオンするための電源オンキー１１１と、被遠隔操作機器の電源をオフするための電源オフキー１１２と、被遠隔操作機器に再生動作を開始させるための再生キー１１３と、遠隔操作モードを切り替えるためのモード切替キー１１４と、１つのキー操作で１又は複数の被遠隔操作機器に対して複数の遠隔操作を行うマクロ操作のためのマクロ操作キー１１５とを有する。
【００２０】
本実施例において、操作入力部１１はモード切替キー１１４として、リモコン装置１０をＡＶレシーバモードに設定するためのＡＶレシーバモードキー１１４Ａと、リモコン装置１０をディスプレイモードに設定するためのディスプレイモードキー１１４Ｂと、リモコン装置１０をＤＶＤモードに設定するためのＤＶＤモードキー１１４Ｃと、リモコン装置１０をビデオモードに設定するためのビデオモードキー１１４Ｄとを有する。これらのモード切替キー１１４で設定されるリモコン装置１０の遠隔操作モードに応じて、電源オンキー１１１、電源オフキー１１２及び再生キー１１３によって遠隔操作する被遠隔操作機器が決まる。つまり、遠隔操作モードに応じて、電源オンキー１１１、電源オフキー１１２及び再生キー１１３が操作されたときに、どの被遠隔操作機器のリモコンコードが送信されるかが決まる。例えば、リモコン装置１０がＡＶレシーバモードに設定されているとき、電源オンキー１１１が操作されると、ＡＶレシーバ２０の電源をオンするリモコンコードがリモコン装置１０から送信される。また、リモコン装置１０がディスプレイモードに設定されているときは、電源オンキー１１１が操作されると、ディスプレイ３０の電源をオンするリモコンコードがリモコン装置１０から送信される。
【００２１】
また、ＤＶＤモードキー１１４Ｃは、ＡＶレシーバ２０の入力セレクタを切り替えて、ソース機器をＤＶＤプレーヤー４０に切り替える（以下、入力セレクタを“ＤＶＤ”に切り替えるという）ための操作キーでもある。ビデオモードキー１１４Ｄは、ＡＶレシーバ２０の入力セレクタを切り替えて、ソース機器をビデオデッキ５０に切り替える（以下、入力セレクタを“ビデオ”に切り替えるという）ための操作キーでもある。
【００２２】
マクロ操作キー１１５は、映画鑑賞の際にＡＶレシーバ２０、ディスプレイ装置３０及びＤＶＤプレーヤー４０をマクロ操作するためのキーとして初期設定されている。具体的には、マクロ操作キー１１５は、ＡＶレシーバ２０、ディスプレイ装置３０及びＤＶＤプレーヤー４０の電源をオンし、ＡＶレシーバ２０の入力セレクタを“ＤＶＤ”に切り替え、ＤＶＤプレーヤー４０に再生動作を開始させるためのマクロ操作キーとして初期設定されている。さらにマクロ操作キー１１５は、ＤＶＤモードキー１１４Ｃ又はビデオモードキー１１４Ｄと共に所定の操作が行われると、マクロ操作キー１１５でマクロ操作するソース機器が、そのモード切替キー１１４に対応するソース機器に変更される。例えば、マクロ操作キー１１５とビデオモードキー１１４Ｄとが同時に操作された場合、マクロ操作キー１１５で遠隔操作するソース機器が、初期設定のＤＶＤプレーヤー４０からビデオデッキ５０に変更される。マクロ操作キー１１５とＤＶＤモードキー１１４Ｃとが同時に操作された場合は、マクロ操作キー１１５で遠隔操作するソース機器が、ＤＶＤプレーヤー４０に変更される。
【００２３】
メモリ１２は、マクロ操作キー１１５に対応付けられるマクロ操作処理シーケンスが記憶される。図３は、マクロ操作処理シーケンスを示す図である。本実施例におけるマクロ操作処理シーケンスは、所定順に複数のキーコードが登録されており、マクロ操作キー１１５が操作されたときに制御部１３が実行するマクロ操作処理を示している。つまり、マクロ操作キー１１５が操作されたとき、マクロ操作処理シーケンスに登録されているキーコード順に、そのキーコードに対応する操作キーが操作されたときと同じ又は所定の遠隔操作処理が実行される。ここでいうキーコードとは、各操作キーに対応付けられ、その操作キーを特定するための識別コードである。具体的には、マクロ操作処理シーケンスは図３に示すように、ディスプレイモードキー、電源オンキー、ソース機器モードキー（ＤＶＤモードキー又はビデオモードキー）、電源オンキー、ＡＶレシーバモードキー、電源オンキー、ソース機器モードキー（ＤＶＤモードキー又はビデオモードキー）及び再生キーのキーコードが順に登録されている。本実施例では、ソース機器モードキーのキーコードにＤＶＤモードキーのキーコードが初期設定されているものとし、マクロ操作キー１１５により遠隔操作するソース機器がＤＶＤプレーヤー４０に設定されているものとする（図４）。
【００２４】
制御部１３は、マクロ操作キー１１５が操作されたとき、マクロ操作処理シーケンスに登録されているキーコード順に、そのキーコードに対応する操作キーが操作されたときと同じ又は所定の遠隔操作処理を実行する（マクロ操作処理）。さらに制御部１３は、マクロ操作キー１１５及びモード切替キー１１４によって所定の操作が行われると、そのマクロ操作キー１１５によって遠隔操作するソース機器を、操作されたモード切替キー１１４に対応するソース機器に変更する（マクロ操作内容変更処理）。
【００２５】
次に、マクロ操作キー１１５が操作されたとき、制御部１３が実行するマクロ操作処理について説明する。図５は、マクロ操作キー１１５が操作されたときに、制御部１３が実行するマクロ操作処理を示すフロー図である。制御部１３は、マクロ操作キー１１５が操作されたとき、マクロ操作処理シーケンスを参照し、ディスプレイモードキー１１４Ｂ、電源オンキー１１１、ＤＶＤモードキー１１４Ｃ、電源オンキー１１１、ＡＶレシーバモードキー１１４Ａ、電源オンキー１１１、ＤＶＤキー１１５Ａ、ＤＶＤモードキー１１４Ｃ、再生キー１１３の順に操作されたときと同じ又は所定の遠隔操作処理を実行する。具体的には、制御部１３は、遠隔操作モードをディスプレイモードに変更する処理を実行する（Ｓ１０１）。次に、制御部１３は電源オン処理を実行する（Ｓ１０２）。具体的には、ステップＳ１０１で遠隔操作モードがディスプレイモードに設定されているので、制御部１３は、ディスプレイ装置３０の電源をオンするためのリモコンコードをメモリ１２から読み出して送信部１４に出力し、送信部１４から送信させる。次に、制御部１３は、遠隔操作モードをＤＶＤモードに変更する処理を実行する（Ｓ１０３）。ステップＳ１０３は、ＤＶＤモードキー１１４Ｃのキーコードに基づく遠隔操作処理であるのでモード切替処理及びＡＶレシーバ２０の入力セレクタの切替処理が実行されるところ、モード切替処理のみを実行するように設定されている。次に、制御部１３は電源オン処理を実行する（Ｓ１０４）。具体的には、ステップＳ１０３で遠隔操作モードがＤＶＤモードに設定されているので、制御部１３は、ＤＶＤプレーヤー４０の電源をオンするためのリモコンコードをメモリ１２から読み出して送信部１４に出力し、送信部１４から送信させる。次に、制御部１３は、遠隔操作モードをＡＶレシーバモードに変更する処理を実行する（Ｓ１０５）。次に、制御部１３は電源オン処理を実行する（Ｓ１０６）。具体的には、ステップＳ１０５で遠隔操作モードがＡＶレシーバモードに設定されているので、制御部１３は、ＡＶレシーバ２０の電源をオンするためのリモコンコードをメモリ１２から読み出して送信部１４に出力し、送信部１４から送信させる。次に、制御部１３は、ＡＶレシーバ２０の入力セレクタを“ＤＶＤ”に切り替え、遠隔操作モードをＤＶＤモードに変更する処理を実行する（Ｓ１０７）。次に、制御部１３は、再生処理を実行する（Ｓ１０８）。具体的には、ステップＳ１０７で遠隔操作モードがＤＶＤモードに設定されているので、制御部１３は、ＤＶＤプレーヤー４０に再生動作を開始させるためのリモコンコードをメモリ１２から読み出して送信部１４に出力し、送信部１４から送信させる。
【００２６】
次に、マクロ操作内容変更処理について具体的に説明する。図６は、制御部１３のマクロ操作内容変更処理を示すフロー図である。図７は、マクロ操作内容変更処理におけるマクロ操作処理シーケンスを示す図である。ユーザは、マクロ操作キー１１５でマクロ操作するソース機器をＤＶＤプレーヤー４０から別のソース機器に変更したい場合、マクロ操作キー１１５とそのソース機器に対応するモード切替キー１１４とを同時に操作する。制御部１３は、マクロ操作キー１１５及びモード切替キー１１４が同時に操作されたとき、その操作されたモード切替キー１１４から、変更するソース機器を判断する（Ｓ２０１）。そして、制御部１３は、そのソース機器のモードキーコードを、マクロ操作処理シーケンスにおけるソース機器のモードキーコードとして設定する（Ｓ２０２）。具体的には、マクロ操作キー１１５及びビデオモードキー１１４Ｃが同時に操作された場合、制御部１３は、マクロ操作で遠隔操作するソース機器をビデオデッキ５０に変更すると判断し、マクロ操作処理シーケンスにおけるソース機器のモードキーコードを、ビデオモードキー１１４Ｄのキーコードに変更する（図７）。電源オンキー１１１のキーコードに基づく電源オン処理及び再生キー１１３のキーコードに基づく再生処理は、リモコン装置１０の遠隔操作モードに従って、どの被遠隔操作機器のリモコンコードを送信するかが決まるので、制御部１３はマクロ操作処理シーケンスにおけるソース機器のモードキーコードを変更するだけで、マクロ操作で遠隔操作するソース機器を変更することができる。このマクロ操作内容変更処理によってマクロ操作内容が変更された後、マクロ操作キー１１５が操作されると、ＤＶＤプレーヤー４０の代わりにビデオデッキ５０の電源がオンされ、再生が開始される。なお、ＡＶレシーバ２０の入力セレクタは“ビデオ”に切り替えられる。
【００２７】
以上のように、ユーザはマクロ操作キー１１５及びそのソース機器に対応するモード切替キー１１４を所定操作するだけで、マクロ操作で遠隔操作するソース機器を簡単に変更することができる。変更するソース機器の選択にモード切替キー１１４を利用することで、変更するソース機器を選択するために別途操作キーを備える必要がなく、ユーザはモード切替キー１１４でＡＶレシーバ２０の入力セレクタを切り替える操作（又は、リモコン装置１０の遠隔操作モードを切り替える操作）と同じ感覚で、マクロ操作で遠隔操作するソース機器を変更することができる。さらに、ソース機器がＡＶレシーバ２０のどの入力セレクタに接続されていても、ユーザはマクロ操作キー１１５及びそのソース機器が対応付けられたモード切替キー１１４を所定操作するだけで、マクロ操作ボタン１１５でそのソース機器をマクロ操作することができる。
【００２８】
次に、本発明の別の好ましい実施形態について図８〜図１２を参照して具体的に説明する。
【００２９】
図８は、本発明の別の好ましい実施形態によるリモコン装置１０の構成を示すブロック図である。リモコン装置１０は、複数の被遠隔操作機器の電源を一斉にオフするためのオールオフマクロ操作機能をさらに有する。そして、リモコン装置１０は操作部１１に、マクロ操作キー１１５によるマクロ操作で電源がオンされる被遠隔操作機器の電源をオフするためのマクロ操作キーであるオールオフキー１１６をさらに備える。
【００３０】
メモリ部１２は、オールオフキー１１６に対応付けられるオールオフ操作処理シーケンスが記憶される。図９は、オールオフ操作処理シーケンスを示す図である。本実施例におけるオールオフ操作処理シーケンスは、オールオフキー１１６が操作されたときに制御部１３が実行するオールオフ操作処理を示しており、マクロ操作キー１１５によるマクロ操作で電源がオンされる被遠隔操作機器の電源をオフするための複数のキーコードが所定順に登録されている。具体的には、オールオフ操作処理シーケンスは、ＡＶレシーバモードキー、電源オフキー、ディスプレイモードキー、電源オフキー、ソース機器のモードキー（ＤＶＤモードキー又はビデオモードキー）及び電源オフキーのキーコードが順に登録されている。オールオフキー１１６が操作されたとき、オールオフ操作処理シーケンスに登録されているキーコード順に、そのキーコードに対応する操作キーが操作されたときと同じ遠隔操作処理が実行される。初期設定としてマクロ操作処理シーケンスは、ソース機器のモードキーとしてＤＶＤモードキーが設定されているものとする（図１０）。
【００３１】
制御部１３は、オールオフキー１１６が操作されたとき、マクロ操作キー１１５によるマクロ操作で電源がオンされる被遠隔操作機器の電源をオフする処理を実行する（オールオフ操作処理）。さらに制御部１３は、マクロ操作で遠隔操作するソース機器が変更された場合、オールオフ操作処理で電源をオフするソース機器も変更する。具体的には、制御部１３は、マクロ操作キー１１５及びモード切替キー１１４によって所定の操作が行われたときに実行するマクロ操作内容変更処理において、オールオフキー１１５によって電源をオフするソース機器を、操作されたモード切替キー１１４に対応するソース機器に変更する。
【００３２】
次に、オールオフキー１１６が操作されたときに、制御部１３が実行するオールオフ操作処理について説明する。図１１は、オールオフキー１１６が操作されたときに、制御部１３が実行するオールオフ操作処理を示すフロー図である。制御部１３は、オールオフキー１１６が操作されたとき、オールオフ操作処理シーケンスに登録されているキーコード順に、そのキーコードに対応する操作キーが操作されたときと同じ遠隔操作処理を実行する。つまり、制御部１３は、オールオフ操作処理シーケンスは、ＡＶレシーバモードキー、電源オフキー、ディスプレイモードキー、電源オフキー、ソース機器のモードキー（ＤＶＤモードキー又はビデオモードキー）及び電源オフキーの順に操作されたときと同じ遠隔操作処理を実行する。具体的には、制御部１３は、オールオフキー１１６が操作されたとき、遠隔操作モードをＡＶレシーバモードに変更する処理を実行する（Ｓ３０１）。次に、制御部１３は電源オフ処理を実行する（Ｓ３０２）。具体的には、ステップＳ３０１で遠隔操作モードがＡＶレシーバモードに設定されているので、制御部１３は、ＡＶレシーバ２０の電源をオフするためのリモコンコードをメモリ１２から読み出して送信部１４に出力し、送信部１４から送信させる。次に、遠隔操作モードをディスプレイモードに変更する処理を実行する（Ｓ３０３）。次に、制御部１３は電源オフ処理を実行する（Ｓ３０４）。具体的には、ステップＳ３０３で遠隔操作モードがディスプレイモードに設定されているので、制御部１３は、ディスプレイ装置３０の電源をオフするためのリモコンコードをメモリ１２から読み出して送信部１４に出力し、送信部１４から送信させる。次に、制御部１３は、遠隔操作モードをＤＶＤモードに変更する処理を実行する（Ｓ３０５）。ステップＳ３０３は、ＤＶＤモードキー１１４Ｃのキーコードに基づく遠隔操作処理であるのでモード切替処理及びＡＶレシーバ２０の入力セレクタの切替処理が実行されるところ、モード切替処理のみを実行するように設定されている。次に、制御部１３は電源オフ処理を実行する（Ｓ３０６）。具体的には、ステップＳ３０５で遠隔操作モードがＤＶＤモードに設定されているので、制御部１３は、ＤＶＤプレーヤー４０の電源をオフするためのリモコンコードをメモリ１２から読み出して送信部１４に出力し、送信部１４から送信させる。
【００３３】
次に、マクロ操作キー１１５及びモード切替キー１１４によって所定の操作が行われたときに、制御部１３が実行するマクロ操作内容変更処理について説明する。図１２は、制御部１３のマクロ操作内容変更処理を示すフロー図である。図１３は、マクロ操作内容変更処理におけるオールオフ操作処理シーケンスを示す図である。ユーザは、マクロ操作キー１１５でマクロ操作するソース機器をＤＶＤプレーヤー４０から別のソース機器に変更したい場合、マクロ操作キー１１５とそのソース機器に対応するモード切替キー１１４とを同時に操作する。制御部１３は、マクロ操作キー１１５及びモード切替キー１１４が同時に操作されたとき、上述のマクロ操作内容変更処理と同様にその操作されたモード切替キー１１４から変更するソース機器を判断し、そのソース機器のモードキーコードをマクロ操作処理シーケンスにおけるソース機器のモードキーコードとして設定する（Ｓ２０１及びＳ２０２）。さらに、制御部１３は、そのソース機器のモードキーコードを、オールオフ操作処理シーケンスにおけるソース機器のモードキーコードとして設定する（Ｓ２０３）。具体的には、マクロ操作キー１１５及びビデオモードキー１１４Ｄが同時に操作された場合、制御部１３は、オールオフ操作処理シーケンスにおけるソース機器のモードキーコードを、ビデオモードキー１１４Ｄのキーコードに変更する（図１２）。電源オフキー１１２のキーコードに基づく電源オフ処理では、リモコン装置１０の遠隔操作モードに従って、どの被遠隔操作機器のリモコンコードを送信するかが決まるので、マクロ操作処理シーケンスにおけるソース機器のモードキーコードを変更するだけで、マクロ操作で遠隔操作するソース機器を変更することができる。これによって、オールオフキー１１６が操作されたときに電源がオフされるソース機器はビデオデッキ５０となる。
【００３４】
以上、オールオフマクロ操作機能を有するリモコン装置１０において、マクロ操作キーでマクロ操作するソース機器が変更された場合、オールオフ操作で電源がオフされるソース機器も変更される。変更するソース機器は、上述のマクロ操作内容変更処理と同様、マクロ操作キー１１５と共に操作されたモード切替キー１１４に応じて決まる。
【００３５】
以上、本発明に係るリモコン装置の好ましい実施形態の例について説明したが、上述した実施の形態は本発明を実施するための例示に過ぎない。本実施例では、マクロ操作ボタン１１５を１つとして説明したが、複数備えていても良く、それぞれのマクロ操作ボタン１１５において遠隔操作するソース機器を変更できるようにすればよい。
【００３６】
また、本実施例ではマクロ操作内容変更処理が、マクロ操作キー１１５及びモード切替キー１１４が同時に押されたときに実行されるとして説明したが、その限りではない。例えば、マクロ操作キー１１５の長押し操作によってリモコン装置１０がマクロ操作キー１１５のマクロ操作内容を変更するモードに遷移し、その後操作されるモード切替キー１１４によって、マクロ操作キー１１５で遠隔操作するソース機器が変更されるようにしても良い。
【００３７】
また、本実施例においてＡＶレシーバ２０に接続されるソース機器をＤＶＤプレーヤー４０及びビデオデッキ５０のみとしたが、この限りではなく、ＣＤプレーヤー、ケーブルテレビ用のセットトップボックス、ラジオチューナーなど、映像又は音声を出力する他のソース機器でもよい。
【００３８】
さらに、本実施例においてマクロ操作処理シーケンス及びオールオフ操作処理シーケンスにおいて、ディスプレイ装置１０の電源をオン／オフするためのキーコードを含むようにしたが、ソース機器がＣＤプレーヤーやラジオチューナー等である場合にはディスプレイ装置３０の電源をオン／オフする必要がないので、その場合はマクロ操作処理シーケンス及びオールオフ操作処理シーケンスにディスプレイ装置１０の電源をオン／オフするためのキーコードが含まれていなくても良い。また、ケーブルテレビ用のセットトップボックスのように再生動作を機能として有していない場合、マクロ操作処理シーケンスに再生動作を開始させるためのキーコードが含まれていなくても良い。
【００３９】
さらに、オールオフマクロ操作機能を有するリモコン装置において、制御部１３が、マクロ操作キー１１５及びモード切替キー１１４が所定操作された場合にマクロ操作内容変更処理を実行するようにしたが、マクロ操作キー１１５の代わりにオールオフキー１１６がモード切替キー１１４と共に所定操作されたときにマクロ操作内容変更処理を実行するようにしてもよい。
【００４０】
さらに、本実施例では、ＤＶＤモードキー１１４Ｃ及びビデオモードキー１１４Ｄを、リモコン装置１０の遠隔操作モードを切り替えるためだけでなく、ＡＶレシーバ２０の入力セレクタを切り替えるための操作キーとしたが、ＡＶレシーバ２０の入力セレクタを切り替えるための操作キーとして、リモコン装置１０の操作入力部１１に入力セレクタキー（例えば、入力セレクタをＤＶＤプレーヤー４０に切り替えるＤＶＤキー及び入力セレクタをビデオデッキ５０に切り替えるビデオキー）を別途備え、入力セレクタキーとマクロ操作キー１１５が所定操作されたときに、制御部１３がマクロ操作内容変更処理を実行するようにしても良い。この場合、制御部１３は、操作された入力セレクタから変更するソース機器を判断する。
【産業上の利用可能性】
【００４１】
本発明は、１つのキー操作で１又は複数の被遠隔操作機器に対して複数の遠隔操作を行うマクロ操作可能なリモコン装置に好適に採用され得る。
【符号の説明】
【００４２】
１０  リモコン装置
１１  操作入力部
１１１  電源オンキー
１１２  電源オフキー
１１３  再生キー
１１４  モード切替キー
１１４Ａ  ＡＶレシーバモードキー
１１４Ｂ  ディスプレイモードキー
１１４Ｃ  ＤＶＤモードキー
１１４Ｄ  ビデオモードキー
１１５  マクロ操作キー
１１６  オールオフキー
１２  メモリ
１３  制御部
１４  送信部
１５  表示部
２０  ＡＶレシーバ
３０  ディスプレイ装置
４０  ＤＶＤプレーヤー
５０  ビデオデッキ
６０  スピーカー
【図１】
2010219832.tif 000003
【図２】
2010219832.tif 000004
【図３】
2010219832.tif 000005
【図４】
2010219832.tif 000006
【図５】
2010219832.tif 000007
【図６】
2010219832.tif 000008
【図７】
2010219832.tif 000009
【図８】
2010219832.tif 000010
【図９】
2010219832.tif 000011
【図１０】
2010219832.tif 000012
【図１１】
2010219832.tif 000013
【図１２】
2010219832.tif 000014
【図１３】
2010219832.tif 000015